(57)【特許請求の範囲】
【請求項１】
同期成分を分離するためのスライス・レベルでＡ／Ｄ変換されたビデオ信号をスライスして得た分離同期成分信号を入力する第１のゲート手段と、
前記ゲート手段から特定の分離同期成分信号のみが出力されるように前記ゲート手段のゲートを周期的にマスクする制御出力信号を出力するマスク制御手段と、
前記ゲート手段の入力側と出力側の信号と前記マスク制御手段から前記周期に関するデータとを入力して、前記制御出力信号の周期補正データを生成するマスク周期補正手段と
を備えたことを特徴とする水平同期分離装置。
【請求項２】
同期成分を分離するためのスライス・レベルでＡ／Ｄ変換されたビデオ信号をスライスして出力する第１のスライス手段と、入力信号の一方のレベルを＋α、他方のレベルを−αとして積分する積分手段と該積分手段の出力をスライスする第２のスライス手段を組み合わせたフィルタ手段であって、前記第１のスライス手段の出力を入力する１つあるいはシリーズに接続したフィルタ手段とを、さらに備え、前記第１のゲート手段は該フィルタ手段の出力を入力することを特徴とする請求項１に記載の水平同期分離装置。
【請求項３】
前記マスク制御手段はあらかじめ定められた周波数のクロック信号を入力してカウントするカウンタを備え、前記マスク周期補正手段は該カウンタの値を入力して、前記ゲート手段の入力側の信号を受けた際の前記カウンタの値に基づいて前記カウンタの値を変更するように制御することを特徴とする請求項１又は２に記載の水平同期分離装置。
【請求項４】
前記マスク周期補正手段は、前記フィルタ手段からの出力をマスクする第２のゲート手段を備え、前記第１のゲート手段あるいは該第２のゲート手段から出力された信号により開始されるあらかじめ定めた一定時間の期間について該第２のゲートの出力をマスクするように制御し、該第２のゲート手段から出力された信号を受けた際の前記カウンタの出力値に応じて補正値を生成し、この補正値を使用して前記マスク制御手段の前記カウンタの値を変更することを特徴とする請求項３に記載の水平同期分離装置。
【請求項５】
固定周波数発振器をさらに備え、前記あらかじめ定められた周波数のクロック信号は、該固定周波数発振器から出力されることを特徴とする請求項３又は４に記載の水平同期分離装置。
【請求項６】
前記あらかじめ定められた周波数のクロック信号は、前記ビデオ信号のカラー・バースト信号に位相ロックしたＰＬＬ回路から供給されることを特徴とする請求項３又は４に記載の水平同期分離装置。
【発明の詳細な説明】
【０００１】
【発明の属する技術分野】
本発明は、水平同期分離装置に関し、より詳細には、アナログ映像信号をデジタル映像信号に変換する装置において、ノイズを含んだ分離同期成分信号からノイズを除去して水平同期を正確に分離する水平同期分離装置に関する。
【０００２】
【従来の技術】
従来、複合映像信号から分離した同期成分信号から水平同期信号以外のノイズ成分や等価パルスをマスクする方法としてアナログ回路でよく行われている方法に、単安定マルチ・バイブレータを用いる方法がある。これは同期成分信号を検出すると同時に単安定マルチ・バイブレータを起動し、検出後の一定時間は検出をマスクするという方法である。この方法により、垂直帰線期間の１〜３ラインと７〜９ラインの期間に１／２Ｈ周期で配置されている等化パルスや垂直同期パルス期間内に１／２Ｈ周期で配置されている信号を排除することができる。
【０００３】
また、複合映像信号に含まれる高域のノイズ成分、あるいは副搬送波成分をハイカット・フィルタによって除去する方法が用いられている。
【０００４】
また、複合映像信号から同期信号を分離する場合に、スライス技法が使用され、複合映像信号のＤＣレベルを固定することが行われる。このＤＣレベルの固定には、複合映像信号の同期部分の尖塔値クランプやペデスタル・クランプ等が使用される。
【０００５】
【発明が解決しようとする課題】
しかしながら、弱電界などにより、ビデオ信号のＳ／Ｎ比が悪くなると、ノイズの影響による雑音（ノイズ）がパルスとしてレベル弁別した同期分離出力に出力されてしまう。この雑音パルスはランダムに発生するため、これが単安定マルチ・バイブレータを駆動してしまうと、雑音のタイミングによっては本当の同期信号をマスクしてしまうことがある。あるいは、Ｓ／Ｎ比が悪い信号ではレベル弁別そのものの動作が不安定になり、同期信号が検出できないことがある。同期信号が抜けた場合、同期信号が検出されたことによる単安定マルチ・バイブレータのマスクが効かなくなる。このため、ノイズに対して無防備になり、ノイズによるマスクがかかることにより、ますます正しい同期信号を検出することができなくなるという問題がある。
【０００６】
図１は、上述した従来例の動作を説明する図である。この図において、上段は、レベル弁別により分離した同期成分信号を、正極性で示している。矢印の部分が水平同期信号の部分であり、その間にノイズを含んでいる。また、中央には水平同期信号をレベル弁別回路で抽出することができなかった場合を示している。中段の波形は、この図において最初の同期信号でマスク信号が駆動された場合を示している。マスク信号は駆動されると出力をハイレベルとし、所定の期間後にローレベルとする。ハイレベルの期間がマスク期間であり、ローレベルの期間はマスク解除期間である。
【０００７】
上述したような仕様の場合、上段の信号に対して中段に示すようにマスク生成がされ、マスク制御された信号、すなわちマスクされずに出力された信号は下段に示すようになることが理解される。この場合、マスクされずに出力された信号には、一部に水平同期信号の代わりにノイズ成分を出力している。したがって、信号間隔が一様では無くなっている。
【０００８】
本発明は、このような問題に鑑みてなされたもので、その目的とするところは、テレビジョン信号やビデオ信号を入力し、この信号をレベル弁別して得た同期分離出力からノイズ成分を効果的にマスクして、周期性を有する水平同期成分のみを出力するようにした装置、すなわち、水平同期分離装置を提供することにある。
【０００９】
【課題を解決するための手段】
本発明は、このような目的を達成するために、請求項１に記載の発明は、水平同期分離装置であって、同期成分を分離するためのスライス・レベルでＡ／Ｄ変換されたビデオ信号をスライスして得た分離同期成分信号を入力する第１のゲート手段と、前記ゲート手段から特定の分離同期成分信号のみが出力されるように前記ゲート手段のゲートを周期的にマスクする制御出力信号を出力するマスク制御手段と、前記ゲート手段の入力側と出力側の信号と前記マスク制御手段から前記周期に関するデータとを入力して、前記制御出力信号の周期補正データを生成するマスク周期補正手段とを備えたことを特徴とするものである。
【００１０】
また、請求項２に記載の発明は、請求項１に記載の水平同期分離装置であって、同期成分を分離するためのスライス・レベルでＡ／Ｄ変換されたビデオ信号をスライスして出力する第１のスライス手段と、入力信号の一方のレベルを＋α、他方のレベルを−αとして積分する積分手段と該積分手段の出力をスライスする第２のスライス手段を組合わせたフィルタ手段であって、前記第１のスライス手段の出力を入力する１つあるいはシリーズに接続したフィルタ手段とをさらに備え、前記第１のゲート手段は該第フィルタ手段の出力を入力することを特徴とするものである。
【００１１】
また、請求項３に記載の発明は、請求項１又は２に記載の水平同期分離装置であって、前記マスク制御手段はあらかじめ定められた周波数のクロック信号を入力してカウントするカウンタを備え、前記マスク周期補正手段は該カウンタの値を入力して、前記ゲート手段の入力側の信号を受けた際の前記カウンタの値に基づいて前記カウンタの値を変更するように制御することを特徴とするものである。
【００１２】
また、請求項４に記載の発明は、請求項３に記載の水平同期分離装置であって、前記マスク周期補正手段は、前記フィルタ手段からの出力をマスクする第２のゲート手段を備え、前記第１のゲート手段あるいは該第２のゲート手段から出力された信号により開始されるあらかじめ定めた一定時間の期間について該第２のゲートの出力をマスクするように制御し、該第２のゲート手段から出力された信号を受けた際の前記カウンタの出力値に応じて補正値を生成し、この補正値を使用して前記マスク制御手段の前記カウンタの値を変更することを特徴とするものである。
【００１３】
また、請求項５に記載の発明は、請求項３又は４に記載の水平同期分離装置であって、固定周波数発振器をさらに備え、前記あらかじめ定められた周波数のクロック信号は、該固定周波数発振器から出力されることを特徴とする。
【００１４】
また、請求項６に記載の発明は、請求項３又は４に記載の水平同期分離装置であって、前記あらかじめ定められた周波数のクロック信号は、前記ビデオ信号のカラー・バースト信号に位相ロックしたＰＬＬ回路から供給されることを特徴とするものである。
【００１５】
【発明の実施の形態】
以下、図面を参照して本発明の実施形態について説明する。
【００１６】
図２は、本発明を適用したビデオ処理機器の一部のブロックダイヤグラムを示し、水平同期分離装置の一実施形態を示す図である。この図において、符号２１０で示す部分は本発明の要部に相当する部分であり、ノイズ・マスク部である。この部分は、レベル弁別して得た同期成分信号をゲートするゲート２１１、ゲート２１１を制御するマスク制御部２１２、そしてマスク制御部のマスク周期を補正するマスク周期補正部２１３から構成される。
【００１７】
入力した複合映像信号（コンポジット・テレビジョン信号あるいはビデオ信号）は、図示しないクランプ回路でＤＣレベルが固定され、そして同期成分を含めてＡ／Ｄ変換部２０１でデジタルに変換される。デジタルに変換された入力信号は、デジタル・フィルタに通して高周波ノイズおよび色副搬送波成分を除去する。スライス回路２０２で通常のレベル弁別を実行し、いわゆる同期信号成分信号をその出力に得る。ノイズ成分が存在せず、かつ規定値を有する信号を入力した場合は、スライス回路の出力には、複合同期信号そのものが得られる。
【００１８】
本実施形態においては、入力条件として、品質の悪い信号ソ−スからの信号、あるいはノイズ成分を多く含む信号を許容するようにしている。したがってそれに備えて、分離して得た同期成分信号をアナログ回路で言うところの時定数回路（入出力間に抵抗、接地の出力端子間にコンデンサを有する４端子回路）の動作をする積分回路２０３に入力している。この積分回路２０３で入力信号に含まれ、また分離した同期成分信号に含まれるノイズ成分の多くを除去するようにしている。積分回路２０３は、同期信号成分とされた期間を１、されていない期間を−１としてこの信号を積分する。この積分器は垂直同期信号を検出させるものではなく、複合同期信号に含まれる幅の狭いパルス状のノイズを除去するためのものであるため、積分の上限値を設け、そしてこの上限値をあまり大きくしない。
積分の下限値は０とする。
【００１９】
この積分回路の出力は２つの目のスライス回路２０４でレベル弁別される。ここにおいてスライス・レベルは、あらかじめ定めた積分回路の上限値と下限値の中点に設定されている。スライス部２０４において、スライス部２０２の出力に含まれている細かいノイズが除去される。
【００２０】
図３は、以上に説明した積分回路２０３とスライス部２０４の動作を説明する図である。入力信号３１は、Ａ／Ｄ変換部の入力信号を表し、スライス出力３２はスライス部２０２の出力を表している。スライス出力３２に含まれる幅の狭い部分を除去するために、その下段に示すようにスライス出力を積分する。スライス出力の積分信号３３は、上述したように下限値と上限値内で入力信号を上述したように積分する。スライス回路は、この上限値と下限値の中点レベルでスライスして、最下段に示したスライス出力３２を出力する。このように、スライス・レベルを固定することで、積分回路を含むスライス回路出力の信号遅延量をほぼ一定に、ノイズ成分がない場合は一定に保つことができる。
【００２１】
なお、積分回路２０３とスライス部２０４はフィルタを構成しており、このフィルタを複数設けてシリーズに構成することも可能であり、許容する入力信号の品質範囲によっては、効果的に作用する。
【００２２】
しかし、図示していないが、この段階においてもノイズ成分が含まれることがあり、これらのノイズ成分を含んだ中から水平同期信号のみを抽出するためにノイズ・マスク部２１０を設けている。
【００２３】
図４は、ノイズ・マスク部の基本的な動作を説明するタイミング・チャートである。分離同期信号の垂直同期信号部分を入力した場合のマスク信号の基本的な動作を示している。図２に示すノイズ・マスク部は帰還回路を構成しているが、まず定常状態における動作について説明する。（１）スライス部２０４の出力信号をマスクしないで通過させた場合、その時点から１水平同期期間後の時点前後にわたってマスクしない期間を設ける、すなわち、マスク・ウィンドウを開く。
（２）マスク・ウィンドウを開いている期間にスライス部２０４に出力信号はなかった場合、その次の１水平同期期間後の時点前後にわたって再びマスク・ウィンドウを開く期間を設ける。（３）マスク・ウィンドウを開いている期間にスライス部２０４の出力信号を通過させた場合、通過後には、開いているマスク・ウィンドウを閉じる。
【００２４】
従来のマスク信号は検出してから一定期間マスクしていたが、本発明においてはマスク期間とマスク解除期間を周期的にしているところに特徴がある。これは、同期信号が検出されてから一定時間は同期信号の検出を禁止する従来の方法は同期信号が抜けた場合には特に脆弱であることに鑑み、この同期信号が抜けた場合にはとくに脆弱性を回避した方法としている。
【００２５】
図２に示すノイズ・マスク部２１０では、マスク制御部２１２内のマスク・カウンタ１２のカウント値にしたがってゲート２１１を制御して所定期間にわたってスライス部２０４の出力信号をマスクし、周期的に繰り返される水平同期信号を通過させるようにする。マスク・カウンタ１２の出力値はゲート制御部１１に送られて、ゲート２１１を制御するマスク・ウィンドウを生成する。
【００２６】
マスク・ウィンドウとは、ゲート２１１を閉じてノイズがゲートを通過しないようにマスクする信号を表し、マスク・ウィンドウを開くとは、ゲート２１１を開き、ゲートに入力されるスライス部２０４の出力信号を通過させることである。
【００２７】
このマスク・カウンタは、図２に示す実施形態においては、固定周波数発振器２１４からのクロック信号をカウントする。
【００２８】
この固定周波数発振器２１４は、入力ビデオ信号がＮＴＳＣ方式の場合で、１３．５ＭＨｚのクロックを発生するとして説明する。この場合、１ラインの期間は８５８クロックとなり、マスク・カウンタ１２は８５８カウント周期で０に戻るカウンタの構成となる。
【００２９】
ゲート制御部１１は、このマスク・カウンタの値があらかじめ設定した範囲内にあるとき、たとえば８５８−１２８＝７３０〜８５７、０〜１２８の範囲でマスク・ウィンドウを開くように動作する。具体的には、上述したように制御する場合、マスク・カウンタが７３０のときにマスク・ウィンドウを開き、マスク・カウンタが１２８のときにマスク・ウィンドウを閉じるようにように動作する。また、ゲート制御部１１は、ゲート２１１の出力を入力すると、つぎの制御クロックでマスク・ウィンドウを閉じるように動作する。マスク・ウィンドウがゲート２１１の出力で閉じられると、つぎのマスク・ウィンドウの開始タイミング、すなわちつぎにマスク・カウンタが７３０となるタイミングまで閉じたままになる。この動作は、マスク・ウィンドウを開いた際に複数のパルスがゲート２１１から出力されることを防ぐためである。
【００３０】
以上の動作がマスク制御部の基本的な動作であるが、しかし、このままでは、マスク・ウィンドウが開いている期間に水平同期信号を受けて、閉じている期間にノイズ成分を受けるとの確証はなく、またマスク・カウンタを駆動するクロック周期の８５８倍が入力した信号の水平同期期間と完全に一致していない場合も想定される。また、初期状態で同期信号がマスク・ウィンドウから外れている場合は永遠に同期信号を検出できないことになる。
【００３１】
上述のような場合を想定して、マスク周期補正部は、そのような信号を入力した場合、その信号とマスク・ウィンドウの中心、すなわちマスク・カウンタの０値、との誤差を検出し、これをマスク・カウンタにフィード・バックすることによりマスク・ウィンドウの位置を、そのような信号、それは水平同期信号であるかもしれない、の位置に合わせる方向に向かわせるようにマスク制御部のマスク・カウンタの値を操作する制御を実行する。このようにすることにより、その信号がランダムなノイズ成分であった場合はあまり影響を受けず、しかしながら周期的な信号である水平同期信号であった場合にはそのような動作がある回数継続するので、徐々にその水平同期信号のタイミングをマスク・ウィンドウが開く期間内に入れ込むように動作させることができるようになる。
【００３２】
具体的な、マスク周期補正部の動作を以下に説明する。
【００３３】
図２に示すマスク周期制御部２１３は、スライス部２０４の出力を入力するゲート２１と、このゲート２１の出力と上述したゲート２１１の出力を入力するフィード・バック（ＦＢ）禁止制御部２２、そしてゲート２１の出力とマスク・カウンタの出力を入力するマスク・ウィンドウ誤差検出部から構成される。フィード・バック（ＦＢ）禁止制御部２２は、上述した信号を入力すると、固定周波数発振器２１２からのクロック信号をカウントしてあらかじめ定めたＦＢ禁止期間、ゲート２１をマスクする、すなわち閉じる、信号を出力する。このＦＢ禁止期間は、たとえば７３０（＝８５８−１２８）クロックの期間とする。
【００３４】
以上のようにＦＢ禁止期間を設定した場合、すくなくともＦＢ禁止期間後、ゲート２１は開かれた状態になる。この開かれた状態時に、スライス部２０４から信号が出力されると、その信号はゲート２１を通過して、マスク・ウィンドウ誤差検出部に送られる。マスク・ウィンドウ誤差検出部はゲート２１からの信号を受けると、その時点に入力しているマスク・カウンタ１２からのデータ値を入力し、４２９以下か、あるいは４２９以上かを調べる。このとき入力した値が６４であった場合、１２９以下であるので、６４／８＝８とする。このとき入力した値が７９４であった場合、４２９以上であるので７９４−８５８＝−６４と演算して、−６４／８≒−８とする。
【００３５】
ここで、１／８の数値はフィード・バック量を決める係数である。フィード・バック量の係数値を１／８としているのは、ゲート２１を通過した信号がノイズの場合はその影響を減じるための数値であり、一方、ゲート２１を通過した信号が水平同期信号である場合は、その信号は周期的であり、次回にＦＢ禁止制御部によってゲート２１が開かれる際にも入力すると想定し、すくなくとも８回の入力後にその信号をマスク・ウィンドウが開いた期間に入れ込むことができる、との想定に基づいている。この数値は、ノイズ成分のランダム性と水平同期信号の周期性を考慮して決定される。この計数値の分母を大きくすればノイズに強くなるが、一方、動作を失敗した場合に、つぎに水平同期信号を捉えるまでの時間が長くなる。
【００３６】
図５は、上述したマスク周期補正部の動作のうち、ノイズが無い場合に、マスク・ウィンドウが開かれる期間の中心タイミングと、スライス部２０４の出力との間に位相差がある場合に、徐々にその位相差が低減される様子を図示したものである。最初のある時点でマスクされずに出力された信号があり、それによって生成された１水平同期期間後の時点の前後にわたる期間のマスク解除期間から外れた信号を受けた場合に、
図６，図７は、マスク・カウンタ１２がマスク周期制御部２１３によって制御される場合を示している。図５は、前者の場合を示し、本来０であるべきのものが６４となっている、すなわちその信号がマスク・ウィンドウの中心の０よりも遅れていることになるので、次回のマスク・ウィンドウ開始を遅らすようにマスク・カウンタを制御してのその値を８遅らせる。図６は、後者の場合を示し、本来０であるべきのものが７９４となっている、すなわちその信号がマスク・ウィンドウの中心の０よりも６４進んでいることになるので、マスク・ウィンドウ開始を早めるようにマスク・カウンタを制御してその値を８進める。
【００３７】
図８は、入力信号をレベル弁別した信号中にノイズ成分を多く含み、かつ水平同期成分のレベル弁別に失敗した場合を含む信号を例に取って、本実施形態の動作の１例を示した図である。
【００３８】
図において、ノイズ・マスク部としての入力信号８０１とマスク・カウンタのカウントの様子を示す８０２と、ＦＢ禁止制御部から出力するゲート信号８０３を示している。
【００３９】
まず、最左部▲１▼の例では入力信号がマスク・カウンタ０点±１２８クロック以内（点線の四角枠で示す）のマスク・ウィンドウが開いた期間に入っており、ゲート２１１を通過して水平同期信号とされた場合である。また、ここでＦＢ禁止信号はＬｏｗレベルであって、ゲート２１が開かれているとする。したがって、▲１▼の入力信号は、マスク・ウィンドウ誤差検出部部に送られ、マスク・カウンタの０点とずれがある場合は前述に従った方法で誤差がマスク・カウンタの値にフィードバックされる。同時にＦＢ禁止制御によりゲート２１にＦＢ禁止信号（ｈｉｇｈレベルの信号）が送られ、ゲート２１はｔの期間閉じられる。
▲２▼の例はノイズ信号である。ＦＢ禁止信号がｈｉｇｈレベルの期間、▲２▼の妨害信号はフィード・バック禁止信号によりフィード・バックもされず、また、マスク・ウィンドウによってゲート２１１から出力されることもない。
▲３▼の例は、直前の同期信号がレベル弁別されず抜けた後に生じたノイズ信号である。この時点ではフィード・バック禁止信号の禁止期間が切れているが、マスク・ウィンドウによってマスクされている期間であり、ゲート２１１から出力されることはない。しかし、フィード・バック禁止信号の禁止期間が切れてゲート２１は開いているので、その入力信号（実はノイズ信号）によって、マスク・カウンタへのフィードバック制御は行われる。しかし、フィード・バック係数が１／８であり、次の水平同期信号のタイミングをマスク・ウィンドウが開かれた範囲から逸脱させるまでには至らない。
▲４▼の例は、▲３▼に示すノイズ信号によりフィード・バックが禁止されている期間の信号であり、フィード・バック制御は行われない。しかし、マスク・ウィンドウは開いており、ゲート２１１からは水平同期信号として出力される。したがって、ＦＢ禁止制御回路にその信号は送られ、ＦＢ禁止制御部は、時間ｔのＦＢ禁止時間を再設定する。
▲４▼の後の▲１▼の信号は、フィードバック禁止信号の禁止期間が切れてゲート２１は開いているので、その入力信号によって、マスク・カウンタへのフィードバック制御は行われる。同時に、マスク・ウィンドウは開いており、ゲート２１１からは水平同期信号として出力される。
【００４０】
以上、入力信号をＮＴＳＣカラー・テレビジョン信号、固定周波数発振器の周波数を１３．５ＭＨｚとした本発明の実施形態を基に説明したが、ＮＴＳＣ方式以外の同様なカラー・テレビジョン、たとえばＰＡＬ方式にも適用可能である。また、固定周波数発振器の代わりに、入力信号のカラー・バースト信号、あるいは水平同期信号にロックさせて生成したＸＶＣＯ（電圧制御水晶発振器）からのクロック信号を使用することが可能である。上述したようなマスク制御周期や、マスク・ウィンドウの期間設定、あるいはＦＢ禁止制御のための期間設定はそれほど厳密性は必要ではなく、さらにマスク周期補正部を備えているため、発生周波数の範囲がある程度の範囲内に限定される上述したＸＶＣＯ（電圧制御水晶発振器）の出力でも利用可能なことは理解されよう。
【００４１】
また、マスク・ウィンドウ誤差補正部においてフィード・バック量の係数値を１／８としたが、特にこの数値に本発明は限定されるものではなく、実施形態において説明した他の数値も同様である。フィード・バック量の係数値については、たとえば、マスク・ウィンドウが開いている期間、すなわちゲート２１１を開いている期間はその係数値を大きくし、それ以外の場合は小さくすることで、よりノイズに対して強くすることができる。同様なことは、マスク・ウィンドウが開く期間を少なくすることで実現できる。
【００４２】
本発明においては、マスキングを周期的に実行するようにし、さらにマスク周期補正部を備えているので、マスク・ウィンドウが開く期間を少なくすることも可能になっている。
【００４３】
なお、上述した実施形態ではフィルタ部とマスク部と共にノイズを低減するとしているが、フィルタ部はマスク部では排除できないノイズを、特に水平同期信号近傍のノイズで、高域周波数成分を除去することを目的とし、一方、マスク部は、フィルタ部では除去できない、同期信号から離れた、幅の広いすなわち低周波成分のノイズ、とくにランダムなノイズを除去することを目的とする、ということができる。
【００４４】
なお、ノイズ・マスク部２１０のゲート２１１の出力は、水平座標生成部に送られ、その水平座標生成部の位相を補正する信号、すなわち入力信号位相とあらかじめ定めた位相関係となるようにする信号、と使用されるのが通常である。この場合における補正方法には、入力信号の信号源の捉え方、安定な信号源かあるいはＶＴＲのように変動する信号源からのものかによって種々の方法がある。
【００４５】
【発明の効果】
以上説明したように本発明によれば、ノイズのような水平同期信号と相関のないランダムな信号は周期的に生成したマスク・ウィンドウにより取り除くことができる。また、周期的に生成したマスク・ウィンドウと実際の水平同期信号との間に位相差が生じた場合には、マスク周期補正部でその位相差を徐々に近づけるようにマスク・ウィンドウを生成するマスク・カウンタを制御するようにしたので、ランダムなノイズによる影響を減じながらも、周期性を有する水平同期信号を抽出するようにマスク・ウィンドウを生成することができる。
【００４６】
また、マスク周期補正部においてもノイズ成分によって、マスク・ウィンドウの位相を補正しても、その補正動作を約１水平動作期間中１回に制限しているため、マスク・カウンタから生成するマスク・ウィンドウの水平同期信号の同期関係を乱す影響を小さく押さえることができる。
【図面の簡単な説明】
【図１】従来例のマスキング動作を説明する図である。
【図２】本発明を適用したビデオ処理機器の一部のブロックダイヤグラムを示し、水平同期分離装置の一実施形態を示す図である。
【図３】積分回路２０３とスライス部２０４の動作を説明する図である。
【図４】ノイズ・マスク部の基本的な動作を説明するタイミング・チャートである。
【図５】周期補正部の動作を示し、マスク・ウィンドウが開かれる期間の中心タイミングと、スライス部２０４の出力との間に位相差がある場合に、徐々にその位相が低減される様子を示す図である。
【図６】マスク・カウンタ１２がマスク周期制御部２１３によって制御される場合を示す図である。
【図７】マスク・カウンタ１２がマスク周期制御部２１３によって制御される場合を示す図である。
【図８】入力信号をレベル弁別した信号中にノイズ成分を多く含み、かつ水平同期成分のレベル弁別に失敗した場合を含む信号を例に取って、本実施形態の動作の１例を示した図である。
【符号の説明】
１１    ゲート制御部
１２    マスク・カウンタ
１３    補正制御部
２１    ゲート
２２    ＦＢ禁止制御部
２３    マスク・ウィンドウ誤差検出部
２０１    Ａ／Ｄ変換部
２０２    スライス部
２０３    積分回路
２０４    スライス部
２１０    ノイズ・マスク部
２１１    ゲート
２１２    マスク制御部
２１３    マスク周期補正部
２１４    固定周波数発振器
【図１】
0004729189.tif 000002
【図２】
0004729189.tif 000003
【図３】
0004729189.tif 000004
【図４】
0004729189.tif 000005
【図５】
0004729189.tif 000006
【図６】
0004729189.tif 000007
【図７】
0004729189.tif 000008
【図８】
0004729189.tif 000009